(57)【要約】【課題】  ストラップ端部を引っ張るだけで長さ調節が可能で、使用時にその係合状態が解除されないゴーグルの長さ調節機構を提案する。【解決手段】  弾性材からなるストラップと、ストラップが係合すると共にゴーグル本体に連結する連結具とからなり、ストラップの端部の内側面には長さ方向に対して直角にかつ規則的に連続して突条を設け、連結具は、平板な基体の一端にストラップの挿通部を形成した連結具本体と、基体の他端に連結する揺動体とからなり、揺動体は、連結具本体との連結部分から湾曲状の第一弾性部及び第二弾性部を介して前記連結具本体と重なるようにバックル部を形成し、さらにバックル部に挿通部と対向するようにローラーを架設してなり、ストラップ端部は、挿通部から挿入され、バックル部のローラーを巻回して再び挿通部を通って外側に折り返されて取り付けられているように構成した。【選択図】  図２
2006102339.tif 000002
【特許請求の範囲】
【請求項１】
弾性材からなるストラップと、前記ストラップが係合すると共にゴーグル本体に連結する連結具とからなり、
前記ストラップの端部の内側面には長さ方向に対して直角にかつ規則的に連続して多数の突条を設け、
前記連結具は、平板な基体の一端に前記ストラップの挿通部を形成した連結具本体と、前記基体の他端に連結する揺動体とからなり、
前記揺動体は、前記連結具本体との連結部分から湾曲状の第一弾性部及び第二弾性部を介して前記連結具本体と重なるようにバックル部を形成し、さらに前記バックル部に前記挿通部と対向するようにローラーを架設してなり、
前記ストラップの端部は、前記挿通部から挿入され、前記バックル部のローラーを巻回して再び前記挿通部を通って外側に折り返されて前記連結具に取り付けられていることを特徴とするゴーグルのストラップの長さ調節機構。
【請求項２】
上記ストラップ端部に設ける突条は、ストラップ端部の先端側を傾斜面とし、反対側を直立面とした三角形状である請求項１記載のゴーグルのストラップの長さ調節機構。
【発明の詳細な説明】
【技術分野】
【０００１】
この発明は、スイミングゴーグルや潜水用ゴーグルなど（以下、単に「ゴーグル」という。）のストラップの長さ調節機構に関し、簡単な操作でストラップの長さを最適の状態に調節できるようにしたものである。
【背景技術】
【０００２】
従来から、水泳や潜水時に目を保護すると共に視界を確保するため、各種ゴーグルが利用されている。従来のゴーグルにおいては、そのストラップの長さは、例えば特許文献１の図１０に示されるような長さ調節機構によって、調節できるようになっている。しかし、この種の長さ調節機構は、装着前に大まかに長さを調節しておき、頭部に実際に装着してみて、緩すぎたりきつすぎたりした場合には、一度頭部から取り外して長さを再調節し、再び頭部の装着して具合を見て、これを繰り返して、ちょうど適合する長さに調節していた。従って、最適な強度に調節するのに、多大な手間を要していた。
【０００３】
このため、特許文献１の本文に示すように、弾性を有するヘッドバンド部（ストラップ）と前記ヘッドバンド部を係合するための係合部を具備し、前記ヘッドバンド部には係合部と係合する複数の突起部が設けられ、前記係合部にはヘッドバンド部を差し込む挿入孔とヘッドバンド部の突起部を嵌め込む嵌入溝が形成されたゴーグルの長さ調節機構が提案されている。かかる構造によれば、突起部を嵌入溝に対して着脱することで、ヘッドバンド部を段階的にずらすことができ、長さ調節が可能である。
【０００４】
【特許文献１】特開２００３−７５５号公報
【発明の開示】
【発明が解決しようとする課題】
【０００５】
しかしながら、上記ゴーグルの長さ調節機構は、ヘッドバンド部の突起部を嵌入溝に嵌め込むだけのものであるから、ヘッドバンド部を外側方向に引っ張るだけで係合状態が簡単に解除されてしまい、不用意にヘッドバンド部がずれてしまうという問題があった。
【０００６】
本発明は、かかる問題点に鑑み、ゴーグルを頭部に装着した後に、ストラップの端部を引っ張るだけで長さ調節が可能であり、使用時にその係合状態が不用意に解除されないようにした長さ調節機構を提案するものである。
【課題を解決するための手段】
【０００７】
上述した問題を解決するため、本発明は、弾性材からなるストラップと、前記ストラップが係合すると共にゴーグル本体に連結する連結具とからなり、前記ストラップの端部の内側面には長さ方向に対して直角にかつ規則的に連続して多数の突条を設け、前記連結具は、平板な基体の一端に前記ストラップの挿通部を形成した連結具本体と、前記基体の他端に連結する揺動体とからなり、前記揺動体は、前記連結具本体との連結部分から湾曲状の第一弾性部及び第二弾性部を介して前記連結具本体と重なるようにバックル部を形成し、さらに前記バックル部に前記挿通部と対向するようにローラーを架設してなり、前記ストラップの端部は、前記挿通部から挿入され、前記バックル部のローラーを巻回して再び前記挿通部を通って外側に折り返されて前記連結具に取り付けられているようにゴーグルのストラップの長さ調節機構を構成するという手段を採用した。
【０００８】
また、上記ストラップ端部に設ける突条は、ストラップ端部の先端側を傾斜面とし、反対側を直立面とした三角形状であるという手段を採用した。
【発明の効果】
【０００９】
上記構成にかかるゴーグルのストラップの長さ調節機構は、ストラップが連結具本体を介してバックル部のローラーを巻回しているので、その係合状態が不用意に解除されることはない。
【００１０】
また、ストラップを緩める場合には、揺動体のバックル部を引き起こすことによってローラーを介して二つ折りになったストラップを引き出し、内側のストラップのみを引くことで揺動体が元に戻り、引き出した分だけストラップの長さが長くなる。一方、ストラップを締め付ける場合には、頭部に装着したまま、もとの状態で外側のストラップの端部を後方に引くだけでストラップが引き出され、締付力が増加する。
【００１１】
従って、頭部に装着した状態で、一度、外側のストラップを引くだけで、速やかに、且つ、確実に、最適な強度の締付力を得ることができる。そのため、従来のように、ストラップの長さを微調整しつつ、何度も頭部への着脱を繰り返すといった手間を確実に省くことができ便利である。
【００１２】
また、上記ストラップの突条を所定の三角形状とすることで、ストラップの引っ張り方向に摺動しやすく、反対方向に摺動しにくくなり、連結具の構造と相俟って、締め付け方向のみにストラップが移動しやすくなる。
【発明を実施するための最良の形態】
【００１３】
以下、本発明に係るゴーグルのストラップの長さ調節機構の好ましい実施形態について、添付した図面に従って説明する。図１は、本発明に係るストラップの長さ調節機構を適用したゴーグルの全体斜視図、図２はその連結具部分の拡大斜視図である。図１、図２において、１は左右一対のレンズ部１ａ、１ａを有するゴーグル本体、２はストラップで、ゴム等の弾性材からなるストラップ２は前記ゴーグル本体１の両端部で連結具３、３を介してループ状に連結されている。
【００１４】
連結具３は、連結具本体４とこれに結合された揺動体５とからなり、上記ストラップ２の端部２ａが連結具本体４及び揺動体５を通過して連結されることによりストラップの長さ調節が可能となっている。即ち、連結具本体４は平板な基体４ａの一端にブリッジ４ｂを設けてストラップ２の挿通部４ｃを角筒状に形成すると共に、基体４ａの他端に下述する揺動体５を連結している。一方、揺動体５は弾性材で構成され、上記連結具本体４の端部への連結部分から湾曲状に形成した第一弾性部５ａ及び第二弾性部５ｂを介してバックル部５ｃが連続して形成されている。このバックル部５ｃは上記連結具本体４と重なるように設けられ、さらにバックル部５ｃには上記挿通部４ｃと対向するようにしてローラー５ｄが架設されている。ストラップの端部２ａは連結具本体４の挿通部４ｃから挿入され、バックル部５ｃのローラー５ｄを巻回して再び挿通部４ｃを通って外側に出るように折り返されて取り付けられている。従って、ストラップの係合が不用意に解除されることはない。また、ストラップ端部２ａの内側面（以下、頭部に接する側を内側とする。）には長さ方向に対して直角に突条２ｂが規則的に連続して多数設けられると共に、先端部近傍には抜け止め用突部２ｃが設けられている。この突条２ｂは、ストラップ端部の先端側を傾斜面とし、反対側を直立面とした三角形状であり、傾斜面側方向に摺動しやすく、直立面側には摺動しにくい構造を有する。なお、上記揺動体５の湾曲状の第一弾性部５ａはゴーグル本体１の端部に設けられるリング部１ｂを通過させており、これによりゴーグル本体１と連結具３が連結される。
【００１５】
次に、上記構成のゴーグルのストラップの長さ調節機構について、その使用状態について説明する。先ず、ストラップを緩める（長くする）場合は、図３に示すように、揺動体５のバックル部５ｃの先端を指先などで引き起こす。このとき第一弾性部５ａが大きく開き、第二弾性部は閉じることになる。そうすると、ローラー５ｄ部分で二つ折りになったストラップ２の端部２ａの内側と外側が同時に挿通部４ｃを通って引き出される。この状態から内側のストラップのみを反対（矢印）方向に引くと、外側のストラップは突条２ｂと挿通部４ｃの摩擦抵抗によって殆ど動かず、内側のストラップのみがローラー５ｄと共に引き込まれ、第一弾性部５ａが閉じてもとの状態に戻る（図４参照）。そして、それ以上内側のストラップを引っ張っるとローラー５ｄが挿通部４ｃ側に引きつけられるので、ストラップは移動しない。従って、揺動体５を引き起こしたときに挿通部４ｃを通って引き出された部分の長さだけストラップは長くなることになる。この動作を必要なだけ繰り返して、頭部を軽く締め付ける程度の長さにストラップの長さを調節してゴーグルを頭部に装着する。
【００１６】
続いて、ストラップを締め付ける（短くする）場合は、もとの状態（図４）で、外側のストラップの端部を頭部後方（矢印方向）に強く引っ張るだけでよい。そうすると、最初は外側のストラップが弾性で伸張するのみであるが、引っ張り力がある大きさを超えると、突条２ｂで係止されていた内側のストラップが挿通部４ｃに段階的に引き込まれるようになり、内側のストラップは短くなって締付力が増加する。このような操作により、ゴーグルは最適な状態で頭部に装着することができる。即ち、頭部に装着した後は、外側のストラップの端部を後方に引くだけで、一度で確実に最適な強度の装着状態にできるので、従来のように、ストラップの長さを繰り返し微調整して装着するといった手間を確実に省くことができるようになった。
【図面の簡単な説明】
【００１７】
【図１】本発明に係るゴーグルのストラップの長さ調節機構を適用したゴーグルの全体斜視図である。
【図２】連結具部分の拡大斜視図である。
【図３】揺動体を引き起こした状態の平面図である。
【図４】揺動体がもとに戻った状態の平面図である。
【符号の説明】
【００１８】
１    ゴーグル本体
２    ストラップ
２ａ  端部
２ｂ  突条
３    連結具
４    連結具本体
４ａ  基体
４ｃ  挿通部
５    揺動体
５ａ  第一弾性部
５ｂ  第二弾性部
５ｃ  バックル部
５ｄ  ローラー
【図１】
2006102339.tif 000003
【図２】
2006102339.tif 000004
【図３】
2006102339.tif 000005
【図４】
2006102339.tif 000006